(57)【要約】【課題】  強度変調符号をマンチェスタ符号に変換して、光リミッタアンプに入力することにより、パターン効果による波形劣化を生じないようにする。【解決手段】  波長変換素子は、クロックパルスを分割する偏波保持ファイバ１０５と、パルス信号を入力する信号光入力部１０６に接続された２×１波長カプラ１０７と、偏波保持ファイバ１１２と、パルス信号の符号により分割されたクロックパルスの位相を変換する半導体光増幅器１１３と、分割されたクロックパルスを合成する偏波保持ファイバ１１９と、所望のクロックパルスを取り出す偏向子１２２および波長フィルタ１２４と、合成されたクロックパルスに所望の遅延を与える光ファイバ１２３とが順に縦続接続されている。【選択図】  図１０
2005352198.tif 000002
【特許請求の範囲】
【請求項１】
偏波分散のｆａｓｔ軸とｓｌｏｗ軸の中間位置にある第１クロックパルスを、第１偏波分散によって、ｆａｓｔ軸上の第２クロックパルスとｓｌｏｗ軸上の第３クロックパルスとに分割し、前記第１クロックパルスの偏光面と直交する第４クロックパルスを、前記第１偏波分散によって、ｆａｓｔ軸上の第５クロックパルスとｓｌｏｗ軸上の第６クロックパルスとに分割する偏波保持ファイバと、
前記第２クロックパルスおよび前記第５クロックパルスと、前記第３クロックパルスおよび前記第６クロックパルスとの中間に同期して、パルス信号を入力する波長カプラと、
該波長カプラから出力された前記第３クロックパルスおよび前記第６クロックパルスの位相を、前記パルス信号の符号により反転する半導体光増幅器と、
該半導体光増幅器の出力に接続され、前記第１偏波分散の偏波方向と直交する偏波方向を有し、前記第２クロックパルスおよび前記第３クロックパルスを第７クロックパルスに合成し、前記第５クロックパルスおよび前記第６クロックパルスを第８クロックパルスに合成する偏波保持ファイバと、
前記第１クロックパルスの偏光面と一致する、前記第７クロックパルスと前記第８クロックパルスのいずれかを阻止する偏向子と、
前記第７クロックパルスおよび前記第８クロックパルスを透過し、前記パルス信号を阻止する波長フィルタと、
該波長フィルタの出力に接続され、前記パルス信号の１／２ビットに相当する波長分散値を有する光ファイバと
を備えたことを特徴とする符号変換装置。
【請求項２】
前記光ファイバから出力された前記第７クロックパルスの波長および前記第８クロックパルスの波長を、同一の波長に変換する波長変換素子をさらに備えたことを特徴とする請求項１に記載の符号変換装置。
【発明の詳細な説明】
【技術分野】
【０００１】
本発明は、符号変換装置に関し、より詳細には、光伝送システムに適用され、高速パケット信号の受信または中継再生時の光信号処理において、強度変調符号をマンチェスタ変調符号に変換する符号変換装置に関する。
【背景技術】
【０００２】
近年、光伝送システムの高速化・高機能化に伴い、４０Ｇｂ／ｓを越える超高速パケット信号による光通信が期待されている。このような光伝送システムにおいては、光信号を電気信号に変換せずに、光信号のまま処理を行う光スイッチ、光アンプなどの機能デバイスが知られている。
【０００３】
図１に、従来の超高速パケットを使用した光通信システムを示す。ユーザ端末５０６〜５０８が、光ルータ５０１〜５０３を介して、光ファイバ５０４、５０５により接続されている。ユーザ端末５０６とユーザ端末５０８との間は、例えば５ｋｍの近距離にあり、ユーザ端末５０７とユーザ端末５０８との間は、例えば３５ｋｍの遠距離にあるとする。
【０００４】
ここで、ユーザ端末５０６，５０７からユーザ端末５０８に向けて、それぞれ超高速パケットを送信する。図２に、ユーザ端末５０８における超高速光パケットの受信波形を示す。図２（ａ）において、波形５０９は、ユーザ端末５０６からの超高速光パケットの受信波形であり、波形５１０は、ユーザ端末５０７からの超高速光パケットの受信波形である。光ファイバは、１ｋｍ当たり０．１〜０．２ｄＢ程度の損失（ここでは一例として０．１５ｄＢとする）があるので、ユーザ端末５０６からの光信号とユーザ端末５０７からの光信号とを比較すると、３０ｋｍの距離差により４．５ｄＢの信号強度差が生じる。
【０００５】
図２（ｂ）は、波形５０９ｂの拡大図である。ユーザ端末５０８における光受信器において閾値レベル５１１を設定し、閾値レベル５１１以上の光信号を論理符号１と判定し、閾値レベル５１１以下の光信号を論理符号０と判定する。従って、ユーザ端末ごとに受信した超高速光パケットの入力レベルに変動があると、最適な閾値レベルが常に変動し、受信波形の判定が困難になる。
【０００６】
そこで、ユーザ端末５０８の光受信器において、等化器、光リミッタアンプなどを設け、波形成形を行ってから、受信波形の判定を行うことが知られている（例えば、非特許文献１参照）。図３に、ユーザ端末５０８における超高速光パケットの受信波形を示す。図３（ａ）は、比較のために図２（ａ）を再掲した。図３（ｂ）は、ユーザ端末５０８と光ルータ５０３との間に、光リミッタアンプを介して受信した波形である。波形６０１は、ユーザ端末５０６からの超高速光パケットの受信波形であり、波形６０２は、ユーザ端末５０７からの超高速光パケットの受信波形である。光リミッタアンプは、光パケット間の強度差を抑制する機能を有し、ユーザ端末ごとに受信した光信号の入力レベルに関わらず、所定の光強度の信号を出力する。従って、適当な閾値レベル６０３を設定することにより、全てユーザ端末からの受信波形を、一つの閾値レベル６０３で判定することができる。
【０００７】
図４に、従来の光リミッタアンプの構造を示す。光リミッタアンプは、低飽和半導体光増幅器であり、光信号を増幅する活性層７０１と、活性層７０１の両端に接続され、光信号を光ファイバに入出力させるためのスポットサイズ変換部７０２ａ，７０２ｂと、電極７０３，７０４とを備えている。活性層７０１は、半導体レーザと同じｐｎ接合による埋め込み構造を有し、両端面に無反射コーティングを施されている。活性層７０１の一端から入力された光信号は、電極７０３，７０４間に加えられた電流により増幅され、活性層７０１の他端から出力される。
【０００８】
図５に、光リミッタアンプの入出力特性を示す。入力光強度に対する出力光強度を図示したものである。光リミッタアンプは、入力光強度が弱い場合には増幅度が高く、入力光強度が強い場合には増幅度が低い。この特性によって、ある一定の光強度以上の入力光強度に対しては、出力光強度を一定の値にすることができる。
【０００９】
しかしながら、従来の光リミッタアンプにはパターン効果と呼ばれる問題点があった。図６は、パターン効果を説明するための図である。図６（ａ）は、光リミッタアンプへの入力信号を示し、論理符号１０１０１０１０１０１１１１１１１１１１１を０連続符号で挟んだ信号である。図６（ｂ）は、光リミッタアンプの出力信号である。論理符号０が連続した後の最初の論理符号１は、単位時間に入力される平均入力光強度が低いために、相対的に光リミッタアンプの増幅度が高く、光強度の高い波形が出力される。これに対して２番目以降の論理符号は、相対的に光リミッタアンプの増幅度が低いために、光強度の低い波形が出力される。また、光リミッタアンプの動作が入力信号に完全に追従しないために、波形の立ち上がり、立ち下がりともに、所定の光強度レベルにまで達しない。
【００１０】
これに対して、連続した論理符号１が入力されると、光リミッタアンプの動作が入力信号に追従するため、所定の光強度レベル１にまで達する。一方、連続した論理符号０が入力されると、所定の光強度レベル０にまで達する。結果として入力信号の符号によって出力信号の振幅が変化し、波形劣化を引き起こすという問題があった。
【００１１】
そこで、「１０」の２ビットで「０」を、「０１」の２ビットで「１」を表すマンチェスタ符号を用いていた。図６（ａ）に示した論理符号にマンチェスタ符号を適用すると、「０１１００１１００１１００１１００１１００１０１０１０１０１０１０１０１０１０１０１」となり、同一符号の連続は最大２ビットである。０符号が連続する場合にも、「１０」信号の連続となるので、パターン効果はほとんど生じないという利点を有する。
【００１２】
次に、マンチェスタ符号を適用するために、光リミッタアンプの直前に挿入され、強度変調符号をマンチェスタ変調符号に変換する波長変換素子について説明する（例えば、非特許文献２参照）。図７に、偏波分散をもつ伝送路の一例として、偏波保持ファイバの断面を示す。偏波保持ファイバは、光信号が伝搬するコア９０１の周囲に、２つの応力付与部９０２ａ，９０２ｂが配置されている。コア９０１を伝搬する光信号は、ｓｌｏｗ軸９０３に沿った偏光方向を有する場合には遅く、ｆａｓｔ軸９０４に沿った偏光方向を有する場合には早く伝搬する。その速度差はファイバ１ｍに付き、０．８〜１．０ｐｓ程度である。一方、偏光方向９０５，９０６の光信号は、ｓｌｏｗ軸９０３とｆａｓｔ軸９０４の２つの成分に分割されて伝搬する。
【００１３】
図８に、ＵＮＩ型の波長変換素子の構成を示す。ここでは、入力信号が「０」符号の場合について説明する。波長変換素子は、偏波保持ファイバ９１１と、信号光入力部９１０に接続された２×１波長カプラ９１２と、偏波保持ファイバ９１３と、非線形媒質である半導体光増幅器９１５と、偏波保持ファイバ９１９と、偏向子９２１と、波長フィルタ９２３とが順に縦続接続されている。
【００１４】
クロックパルス９０９は、ｓｌｏｗ軸９０７とｆａｓｔ軸９０８の中間の偏光状態に合わされた４０ＧＨｚ、パルス幅３ｐｓ、中心波長１５４５ｎｍの光信号である。信号光は、４０Ｇｂ／ｓ、パルス幅３ｐｓ、中心波長１５５５ｎｍのパルス信号であるが、ここでは「０」符号の場合を説明しているので、パルス信号は存在しない。偏波保持ファイバ９１１，９１３は、合わせて＋５ｐｓの偏波分散を有する。偏波保持ファイバ９１９は、−５ｐｓの偏波分散を有する。
【００１５】
クロックパルス９０９は、偏波保持ファイバ９１１，９１３によって分割され、ｆａｓｔ軸成分９１６は早く、ｓｌｏｗ軸成分９１４は遅く伝搬する。両者の差は５ｐｓである。ｆａｓｔ軸成分９１６とｓｌｏｗ軸成分９１４とは、半導体光増幅器９０５に入力される。入力信号「０」の時に両者の位相が共に保存されるように、半導体光増幅器９０５の注入電流を調整することで、クロックパルスはｆａｓｔ軸成分９１７とｓｌｏｗ軸成分９１８とになる。
【００１６】
偏波保持ファイバ９１９は、偏波保持ファイバ９１１，９１３に対して、ｆａｓｔ軸とｓｌｏｗ軸が反転していて、長さは偏波保持ファイバ９１１，９１３の和に等しい。このため、ｓｌｏｗ軸成分９１８にｆａｓｔ軸成分９１７が追いついて、ｓｌｏｗ軸とｆａｓｔ軸の中間の位置にある合成信号９２０となる。
【００１７】
偏向子９２１は、合成信号９２０の方向の偏光成分のみを切り出す。すなわち、そのまま透過して合成信号９２２となる。波長フィルタ９２３は、クロックパルスを透過し、パルス信号を阻止するので、合成信号９２２はそのまま透過して出力信号９３３となる。すなわち、入力のパルス信号「０」に対して、出力信号９３３が存在するので「１」の反転出力となる。
【００１８】
図９に、ＵＮＩ型の波長変換素子の構成を示す。ここでは、入力信号が「１」符号の場合について説明する。すなわち、信号光入力部９１０からの信号光９２４が「１」符号である。信号光９２４の偏光方向は任意である。信号光９２４は、波長カプラ９１２に入力される。
【００１９】
次に、ｆａｓｔ軸成分９１６とｓｌｏｗ軸成分９１４の間に信号光成分９２５となるように同期が取られ、半導体光増幅器９１５に入力される。ここで、先に通過するｆａｓｔ軸成分９１６は偏波を保持して通過し、ｓｌｏｗ軸成分９２８となる。一方、ｓｌｏｗ軸成分９１４は、信号光成分９２５の光強度を最適な値に設定することにより反転し、ｆａｓｔ軸成分９２７として出力される。信号光成分９２５も、ｆａｓｔ軸成分９１６により、偏光面が変わるが、系に影響を与えないのでここでは無視して信号光成分９２６とする。
【００２０】
ｓｌｏｗ軸成分９２８にｆａｓｔ軸成分９２７が追いついて、合成信号９３０となる。合成信号９３０は、合成信号９２０と垂直をなし、偏向子９２１により阻止される。一方、信号光成分９３１の偏光方向は不明なので、一部が信号光成９３２となって出力されるが、波長フィルタ９２３によって阻止される。この結果、入力のパルス信号「１」に対して、出力は「０」となる反転出力となる。
【００２１】
なお、クロックパルス９０９の偏光方向を、図８，９に対して垂直の位置に置けば、入力「０」に対して出力「０」、入力「１」に対して出力「１」となる正転出力を得ることもできる。
【００２２】
【非特許文献１】Y.Shibata, et al., ”Semiconductor laser diode optical amplifiers/gates in photonic packet switching”, J. of Lightwave Technology, vol.16, No.12, pp.2228-2235, 1998
【非特許文献２】N.S.Patel, et al., ”40-Gb/s Demultiplexing Using an Ultrafast Nonlinear Interferometer (UNI)” IEEE Photonics Technology Letters, Vol.8, No.12, pp.1695-1697, 1996
【発明の開示】
【発明が解決しようとする課題】
【００２３】
しかしながら、マンチェスタ符号は、１ビットを２ビットで表現するため、送信器は２倍の帯域を必要とし、送信器の負荷が大きくなるという問題があった。波長帯域幅も２倍の幅を要求されるため、波長分割多重（ＷＤＭ）伝送の場合には、波長数が半分になってしまうという問題があった。
【００２４】
本発明は、このような問題に鑑みてなされたもので、その目的とするところは、送信された強度変調符号をマンチェスタ符号に変換して、光リミッタアンプに入力し、パターン効果による波形劣化を生じないようにすることができる波長変換装置を提供することにある。
【課題を解決するための手段】
【００２５】
本発明は、このような目的を達成するために、請求項１に記載の発明は、偏波分散のｆａｓｔ軸とｓｌｏｗ軸の中間位置にある第１クロックパルス（１０３）を、第１偏波分散によって、ｆａｓｔ軸上の第２クロックパルス（１０８）とｓｌｏｗ軸上の第３クロックパルス（１０９）とに分割し、前記第１クロックパルス（１０３）の偏光面と直交する第４クロックパルス（１０４）を、前記第１偏波分散によって、ｆａｓｔ軸上の第５クロックパルス（１１０）とｓｌｏｗ軸上の第６クロックパルス（１１１）とに分割する偏波保持ファイバ（１０５，１１２）と、前記第２クロックパルス（１０８）および前記第５クロックパルス（１１０）と、前記第３クロックパルス（１０９）および前記第６クロックパルス（１１１）との中間に同期して、パルス信号（１３４）を入力する波長カプラ（１０７）と、該波長カプラ（１０７）から出力された前記第３クロックパルス（１０９）および前記第６クロックパルス（１１１）の位相を、前記パルス信号（１３４）の符号により（１１６または１２７に、１１８または１２９に）反転する半導体光増幅器（１１３）と、該半導体光増幅器（１１３）の出力に接続され、前記第１偏波分散の偏波方向と直交する偏波方向を有し、前記第２クロックパルス（１１５または１２６）および前記第３クロックパルス（１１６または１２７）を第７クロックパルス（１２０または１３０）に合成し、前記第５クロックパルス（１１７または１２８）および前記第６クロックパルス（１１８または１２９）を第８クロックパルス（１２１または１３１）に合成する偏波保持ファイバ（１１９）と、前記第１クロックパルスの偏光面と一致する、前記第７クロックパルス（１２０または１３０）と前記第８クロックパルス（１２１または１３１）のいずれかを阻止する偏向子（１２２）と、前記第７クロックパルス（１２０または１３０）および前記第８クロックパルス（１２１または１３１）を透過し、前記パルス信号（１３５）を阻止する波長フィルタ（１２４）と、該波長フィルタの出力に接続され、前記パルス信号の１／２ビットに相当する波長分散値を有する光ファイバ（１２３）とを備えたことを特徴とする。
【００２６】
請求項２に記載の発明は、請求項１に記載の符号変換装置において、前記光ファイバ（１２３）から出力された前記第７クロックパルス（１３２）の波長および前記第８クロックパルス（１２５）の波長を、同一の波長に変換する（１３８および１３７）波長変換素子（１２６）をさらに備えたことを特徴とする。
【発明の効果】
【００２７】
以上説明したように、本発明によれば、強度変調符号をマンチェスタ符号に変換して、光リミッタアンプに入力することができるので、パターン効果による波形劣化を生じないようにすることが可能となる。
【発明を実施するための最良の形態】
【００２８】
以下、図面を参照しながら本発明の実施形態について詳細に説明する。  
図１０に、本発明の第１の実施形態にかかる波長変換素子の構成を示す。ここでは、入力信号が「０」符号の場合について説明する。波長変換素子は、クロックパルスを分割する偏波保持ファイバ１０５と、パルス信号を入力する信号光入力部１０６に接続された２×１波長カプラ１０７と、偏波保持ファイバ１１２と、パルス信号の符号により分割されたクロックパルスの位相を変換する半導体光増幅器１１３と、分割されたクロックパルスを合成する偏波保持ファイバ１１９と、所望のクロックパルスを取り出す偏向子１２２および波長フィルタ１２４と、合成されたクロックパルスに所望の遅延を与える光ファイバ１２３とが順に縦続接続されている。
【００２９】
クロックパルス１０３は、ｆａｓｔ軸１０１とｓｌｏｗ軸１０２の中間の偏光状態に合わされた４０ＧＨｚ、パルス幅３ｐｓ、中心波長１５３５ｎｍの光信号である。クロックパルス１０４は、クロックパルス１０３と偏光面が直交しており、中心波長１５４５ｎｍである。信号光は、４０Ｇｂ／ｓ、パルス幅３ｐｓ、中心波長１５５５ｎｍのパルス信号であるが、ここでは「０」符号の場合を説明しているので、パルス信号は存在しない。偏波保持ファイバ１０５，１１２は、合わせて＋５ｐｓの偏波分散を有する。偏波保持ファイバ１１９は、−５ｐｓの偏波分散を有する。光ファイバ１２３は、波長分散１２．５ｐｓ／１０ｎｍの波長分散を有する。
【００３０】
クロックパルス１０３は、偏波保持ファイバ１０５，１１２によって分割され、ｆａｓｔ軸成分１０８は早く、ｓｌｏｗ軸成分１０９は遅く伝搬する。クロックパルス１０４は、ｆａｓｔ軸成分１１０とｓｌｏｗ軸成分１１１とに分割される。それぞれ両者の差は５ｐｓである。各々の成分は、半導体光増幅器１１３に入力される。入力信号「０」の時に両者の位相が共に保存されるように、半導体光増幅器１１３の注入電流を調整することで、クロックパルスはｆａｓｔ軸成分１１６，１１８とｓｌｏｗ軸成分１１５，１１７になる。
【００３１】
偏波保持ファイバ１１９は、偏波保持ファイバ１０５，１１２に対して、ｆａｓｔ軸とｓｌｏｗ軸とが反転していて、長さは偏波保持ファイバ１０５，１１２の和に等しい。このため、ｓｌｏｗ軸成分１１５，１１７にｆａｓｔ軸成分１１６，１１８が追いついて、ｓｌｏｗ軸とｆａｓｔ軸の中間の位置にある合成信号１２０，１２１となる。
【００３２】
偏向子１２２は、合成信号１２１の方向の偏光成分のみを切り出す。すなわち、合成信号１２１はそのまま透過するが、合成信号１２０は阻止される。波長フィルタ１２４は、クロックパルスを透過し、パルス信号を阻止するので、合成信号１２１はそのまま透過する。
【００３３】
図１１に、本発明の第１の実施形態にかかる波長変換素子の構成を示す。ここでは、入力信号が「１」符号の場合について説明する。すなわち、信号光入力部１０６からの信号光１３３が「１」符号である。信号光１３３の偏光方向は任意である。信号光１３３は、波長カプラ１０７に入力される。
【００３４】
次に、ｆａｓｔ軸成分１０８，１１０とｓｌｏｗ軸成分１０９，１１１の間に信号光成分１３４となるように同期が取られ、半導体光増幅器１１３に入力される。ここで、先に通過するｆａｓｔ軸成分１０８，１１０は偏波を保持して通過し、ｓｌｏｗ軸成分１２６，１２８となる。一方、ｓｌｏｗ軸成分１０９，１１１は、信号光成分１３４の光強度を最適な値に設定することにより反転し、ｆａｓｔ軸成分１２７，１２９として出力される。信号光成分１３４も、ｆａｓｔ軸成分１０８，１１０の影響を受けて偏光面が変わるが、系に影響を与えないのでここでは無視して信号光成分１３５とする。
【００３５】
ｓｌｏｗ軸成分１２６，１２８にｆａｓｔ軸成分１２７，１２９が追いついて、合成信号１３０，１３１となる。合成信号１３０，１３１は、合成信号１２０，１２１と垂直をなし、偏向子１２２により合成信号１３１は阻止され、合成信号１３０は透過する。一方、信号光成分１３５の偏光方向は不明なので、一部が偏向子１２２を透過するが、波長フィルタ１２４によって阻止される。
【００３６】
ここで、光ファイバ１２３は波長分散１２．５ｐｓ／１０ｎｍを有しているので、図１０と図１１を対比すると、波長が１０ｎｍ長波にある合成信号１２１は、合成信号１３０に比べて１２．５ｐｓ早く進み、出力信号１２５となる。言い換えると、波長が１０ｎｍ短波にある合成信号１３０は、合成信号１２１に比べて１２．５ｐｓ遅く進み、出力信号１３２となる。入力信号４０Ｇｂ／ｓであるから、１ビット２５ｐｓの半分のタイムスロット１２．５ｐｓを考えると、入力信号の「０」符号（１ビット２５ｐｓ）に対して、出力信号は「１０」（１ビット１２．５ｐｓ）となり、入力信号の「１」符号（１ビット２５ｐｓ）に対して、出力信号は「０１」（１ビット１２．５ｐｓ）となる。このようにして、通常の強度変調符号がマンチェスタ符号に変換される。
【００３７】
なお、信号光の波長を１５５５ｎｍとして説明したが、信号光の波長が時間に応じて変化しても構わない。クロックパルス１０３，１０４の位置を逆にしたり、光ファイバ１２３にマイナスの符号を有し、１ビットの半分の波長分散（−１２．５ｐｓ／ｎｍ）を有する光ファイバを使うことにより、「０」を「０１」、「１」を「１０」の反転マンチェスタ符号への変換を行うことができる。
【００３８】
図１２，１３に、本発明の第２の実施形態にかかる波長変換素子の構成を示す。図１２は、入力信号が「０」符号の場合を、図１３は、入力信号が「１」符号の場合を示す。図１０，１１に示した波長変換素子では、出力信号１２５と出力信号１３２の波長が異なるため、光ファイバにより長距離伝送を行うと、波長分散によって、出力信号１２５と出力信号１３２の間隔が広がってしまう。すなわち、マンチェスタ符号の「０１」と「０１」の間隔が変化してしまう。
【００３９】
そこで、第１の実施形態にかかる波長変換素子に、波長変換用の波長変換器１２６を接続した。波長変換器１２６は、図８，９に示したＵＮＩ型の波長変換素子を適用することができる。このとき、入力ポート１３６は、偏波保持ファイバ９１１に相当し、光ファイバ１２３は、信号光入力部９１０に当たる。波長変換器１２６は、出力信号１２５と出力信号１３２とを、例えば、信号光と同じ１５５５ｎｍの１つの波長に変換する。このようにして、波長分散によるマンチェスタ符号の間隔の変化を防ぐことができる。
【図面の簡単な説明】
【００４０】
【図１】従来の超高速パケットを使用した光通信システムを示すブロック図である。
【図２】ユーザ端末における超高速光パケットの受信波形を示す図である。
【図３】光リミッタアンプを介して受信した超高速光パケットの受信波形を示す図である。
【図４】従来の光リミッタアンプの構造を示す斜視図である。
【図５】従来の光リミッタアンプの入出力特性を示す図である。
【図６】光リミッタアンプのパターン効果を説明するための図である。
【図７】従来の偏波保持ファイバを示す断面図である。
【図８】従来のＵＮＩ型の波長変換素子の構成を示す図である。
【図９】従来のＵＮＩ型の波長変換素子の構成を示す図である。
【図１０】本発明の第１の実施形態にかかる波長変換素子の構成を示す図である。
【図１１】本発明の第１の実施形態にかかる波長変換素子の構成を示す図である。
【図１２】本発明の第２の実施形態にかかる波長変換素子の構成を示す図である。
【図１３】本発明の第２の実施形態にかかる波長変換素子の構成を示す図である。
【符号の説明】
【００４１】
１０５，１１２，１１９  偏波保持ファイバ
１０７  波長カプラ
１１３  半導体光増幅器
１２２  偏向子
１２４  波長フィルタ
１２６  波長変換器
【図１】
2005352198.tif 000003
【図２】
2005352198.tif 000004
【図３】
2005352198.tif 000005
【図４】
2005352198.tif 000006
【図５】
2005352198.tif 000007
【図６】
2005352198.tif 000008
【図７】
2005352198.tif 000009
【図８】
2005352198.tif 000010
【図９】
2005352198.tif 000011
【図１０】
2005352198.tif 000012
【図１１】
2005352198.tif 000013
【図１２】
2005352198.tif 000014
【図１３】
2005352198.tif 000015